(57)【要約】【目的】主に車載用オーディオ機器の電光表示装置の照明電圧切換回路を提供する。【構成】エミッタ側に入力電圧ＶＩＮが印加されるとともにコレクタ電圧を出力電圧ＶＯＵＴとするＰＮＰトランジスタＱ１と、前記ＰＮＰトランジスタＱ１のベース側にコレクタが接続されるとともにベースに第１の外部制御電圧ＶＯＮ／ＯＦＦが抵抗Ｒ１を介して印加されるエミッタ接地のＮＰＮトランジスタＱ２と、前記ＮＰＮトランジスタＱ２のベース側にコレクタが接続されて前記ＮＰＮトランジスタＱ２のオン／オフ制御を行うＮＰＮトランジスタＱ３と、前記出力電圧ＶＯＵＴと前記ＮＰＮトランジスタＱ３のベース側の間に挿入されたツェナーダイオードＤ１と、前記ＮＰＮトランジスタＱ３のエミッタ側にコレクタが接続されるとともにベース側に第２の外部制御電圧Ｖ′ＯＮ／ＯＦＦが印加されるエミッタ接地のＮＰＮトランジスタＱ４と、を備える。【選択図】　図１
2004014183.tif 000002
【特許請求の範囲】
【請求項１】
電光表示装置に用いられるツェナーダイオードとトランジスタを用いた帰還型定電圧回路であって、
エミッタ側に入力電圧ＶＩＮが印加されるとともにコレクタ電圧を出力電圧ＶＯＵＴとするＰＮＰトランジスタＱ１と、前記ＰＮＰトランジスタＱ１のベース側にコレクタが接続されるとともにベースに第１の外部制御電圧ＶＯＮ／ＯＦＦが抵抗Ｒ１を介して印加されるエミッタ接地のＮＰＮトランジスタＱ２と、前記ＮＰＮトランジスタＱ２のベース側にコレクタが接続されて前記ＮＰＮトランジスタＱ２のオン／オフ制御を行うＮＰＮトランジスタＱ３と、前記出力電圧ＶＯＵＴと前記ＮＰＮトランジスタＱ３のベース側の間に挿入されたツェナーダイオードＤ１と、前記ＮＰＮトランジスタＱ３のエミッタ側にコレクタが接続されるとともにベース側に第２の外部制御電圧Ｖ′ＯＮ／ＯＦＦが印加されるエミッタ接地のＮＰＮトランジスタＱ４と、を備えることを特徴とする電光表示装置の照明電圧切換回路。
【発明の詳細な説明】
【０００１】
【発明の属する技術分野】
本発明は、主として車載用オーディオ機器の電光表示装置の照明電圧切換回路に関する。
【０００２】
【従来の技術】
オーディオ機器、特に車載用オーディオ機器の発光ダイオード、液晶その他の電光表示装置における照明は単なる照明のオン／オフ切換だけでなく、夜間における照明の減光を行うようにしたものが一般的となっているが、その照明のオン／減光／オフの３段階の照明電圧切換回路はトランスを用いる等による複雑且つ重く、コスト的にも安価なものではなかった。
【０００３】
ところで、汎用の定電圧回路として、図２のような入力電圧ＶＩＮに対して出力電圧ＶＯＵＴが外部制御電圧ＶＯＮ／ＯＦＦによって或る一定の電圧にコントロールされる構成の帰還型定電圧回路１０がある。本回路は、抵抗Ｒ１に或る一定の安定化された外部制御電圧ＶＯＮ／ＯＦＦを加えることにより定電圧回路が働く簡素な構成であり、低コストで実現する。
【０００４】
この時、図２におけるＮＰＮトランジスタＱ３は（ツェナーダイオードＤ１の電圧）＋（ＮＰＮトランジスタＱ３のオン電圧）を境にしてＮＰＮトランジスタＱ２のオン／オフをコントロールしてＶＯＵＴ（ＰＮＰトランジスタＱ１のコレクタ出力）はおおよそ前記（ツェナーダイオードＤ１の電圧）＋（ＮＰＮトランジスタＱ３のオン電圧）の値に固定される。なお、図２中のコンデンサＣ１、Ｃ２は回路動作の安定化のために挿入されている動作安定化コンデンサである。
【０００５】
【発明が解決しようとする課題】
本発明は上記オーディオ機器の電光表示装置のオン／減光／オフの３段階の切換ができる照明電圧切換回路を上記帰還型定電圧回路を利用して、これに第２の外部制御電圧Ｖ′ＯＮ／ＯＦＦによってオン／オフする一つのＮＰＮトランジスタＱ４を追加することで、上記定電圧回路のオン／オフだけでなく、定電圧化していない入力電圧ＶＩＮのスルー電圧も出力するようにして、オン／減光／オフに対応する３段階の電圧を出力することが可能な定電圧回路を電光表示装置の照明電圧切換回路として提供するものである。
【０００６】
【課題を解決するための手段】
本発明は、電光表示装置に用いられるツェナーダイオードとトランジスタを用いた帰還型定電圧回路であって、エミッタ側に入力電圧ＶＩＮが印加されるとともにコレクタ電圧を出力電圧ＶＯＵＴとするＰＮＰトランジスタＱ１と、前記ＰＮＰトランジスタＱ１のベース側にコレクタが接続されるとともにベースに第１の外部制御電圧ＶＯＮ／ＯＦＦが抵抗Ｒ１を介して印加されるエミッタ接地のＮＰＮトランジスタＱ２と、前記ＮＰＮトランジスタＱ２のベース側にコレクタが接続されて前記ＮＰＮトランジスタＱ２のオン／オフ制御を行うＮＰＮトランジスタＱ３と、前記出力電圧ＶＯＵＴと前記ＮＰＮトランジスタＱ３のベース側の間に挿入されたツェナーダイオードＤ１と、前記ＮＰＮトランジスタＱ３のエミッタ側にコレクタが接続されるとともにベース側に第２の外部制御電圧Ｖ′ＯＮ／ＯＦＦが印加されるエミッタ接地のＮＰＮトランジスタＱ４と、を備えることを特徴とする電光表示装置の照明電圧切換回路２０を提供することにより、上記課題を達成する。
【０００７】
【発明の実施の形態】
本発明に係る電光表示装置の照明電圧切換回路の実施の形態について図面に基づいて説明する。
【０００８】
図１は本発明に係る電光表示装置の照明電圧切換回路の回路図である。
【０００９】
先ず、本発明の実施の形態の例においては前提として、図２に示されるツェナーダイオードＤ１とトランジスタＱ１、Ｑ２、Ｑ３を用い、外部制御電圧ＶＯＮ／ＯＦＦにある一定の安定化された第１の外部制御電圧電圧ＶＯＮを印加することによって働く電圧切換回路としての帰還型定電圧回路１０を基にしている。この基になる図２の帰還型定電圧回路１０はその出力電圧ＶＯＵＴが第１の外部制御電圧ＶＯＮ／ＯＦＦに応じて０Ｖ又は（ツェナーダイオードＤ１の電圧）＋（ＮＰＮトランジスタＱ３のオン電圧）の値に固定される。
【００１０】
本発明の照明電圧切換回路２０は、上記帰還型定電圧回路１０の構成に加えて第２の外部制御電圧Ｖ′ＯＮ／ＯＦＦがベースに印加されるエミッタ接地のＮＰＮトランジスタＱ４を前記ＮＰＮトランジスタＱ３のエミッタ側に直列接続している構成である。
【００１１】
より詳細には、エミッタ側に入力電圧ＶＩＮが印加されるとともにコレクタ電圧を出力電圧ＶＯＵＴとするＰＮＰトランジスタＱ１と、前記ＰＮＰトランジスタＱ１のベース側にコレクタが接続されるとともにベースに第１の外部制御電圧ＶＯＮ／ＯＦＦが抵抗Ｒ１を介して印加されるエミッタ接地のＮＰＮトランジスタＱ２と、前記ＮＰＮトランジスタＱ２のベース側にコレクタが接続されて前記ＮＰＮトランジスタＱ２のオン／オフ制御を行うＮＰＮトランジスタＱ３と、前記出力電圧ＶＯＵＴと前記ＮＰＮトランジスタＱ３のベース側の間に挿入されたツェナーダイオードＤ１と、前記ＮＰＮトランジスタＱ３のエミッタ側にコレクタが接続されるとともにベース側に第２の外部制御電圧Ｖ′ＯＮ／ＯＦＦが印加されるエミッタ接地のＮＰＮトランジスタＱ４と、を備える回路構成である。なお、ＮＰＮトランジスタＱ４がオフの時のＮＰＮトランジスタＱ３からの逆流防止のために逆流防止用ダイオードＤ２が挿入されている。
【００１２】
上記ＮＰＮトランジスタＱ４のベース側の第２の外部制御電圧Ｖ′ＯＮ／ＯＦＦに電圧が加えられてＮＰＮトランジスタＱ４がオンしているオン状態では、上記抵抗Ｒ１の部分に第１の外部制御電圧ＶＯＮ／ＯＦＦ電圧が加えられると、上記帰還型定電圧回路１０と同様に電圧切換回路が動作を始める。
【００１３】
次に、上記ＮＰＮトランジスタＱ４に電圧を加えない（０Ｖ）のオフ状態にすると、ＮＰＮトランジスタＱ４がオフとなり、そこに接続されているＮＰＮトランジスタＱ３もオフとなる。したがって、電圧コントロール用のＮＰＮトランジスタＱ２は完全にオン状態となり、ＶＩＮの電圧がそのままスルー電圧としてＶＯＵＴに出力される。
【００１４】
上記回路によって、照明のオン／オフだけでなく、夜間照明など電圧を落として減光する場合など３種の電圧レベルをコントロールすることができる。
【００１５】
即ち、前記第２の外部制御電圧Ｖ′ＯＮ／ＯＦＦをオフ（０Ｖ）にするとともに前記第１の外部制御電圧ＶＯＮ／ＯＦＦを一定電圧にオンすることにより前記ＮＰＮトランジスタＱ２を完全にオン状態にして定電圧化していない入力電圧ＶＩＮのスルー電圧を最大の出力電圧ＶＯＵＴとして出力させる完全点灯状態（全照明）、前記第２の外部制御電圧Ｖ′ＯＮ／ＯＦＦをオンにするとともに前記第１の外部制御電圧ＶＯＮ／ＯＦＦを一定電圧にオンすることにより定電圧回路を動作させて出力電圧ＶＯＵＴを概ね前記（ツェナー電圧Ｖｚ）＋（前記ＮＰＮトランジスタＱ３のオン電圧）に安定させた減光点灯状態（減光照明）、前記第１の外部制御電圧ＶＯＮ／ＯＦＦをオフにすることで出力電圧ＶＯＵＴを０Ｖにする照明オフ状態の３段階の電光表示装置の照明電圧切換回路となるのである。
【００１６】
【発明の効果】
本発明に係る電光表示装置の照明電圧切換回路は、上記のように構成されているため、素子数が少なく簡素で低コストの定電圧回路でありながら、スルー電圧による全照明、一定電圧の減光照明、照明オフの３つの状態の照明電圧切換が第１の外部制御電圧ＶＯＮ／ＯＦＦと第２の外部制御電圧Ｖ′ＯＮ／ＯＦＦによるコントロールで実現されるという優れた効果を有する。
【図面の簡単な説明】
【図１】本発明に係る電光表示装置の照明電圧切換回路図である。
【図２】従来の帰還型定電圧回路の回路図例である。
【符号の説明】
Ｑ１　　ＰＮＰトランジスタ
Ｑ２　　ＮＰＮトランジスタ
Ｑ３　　ＮＰＮトランジスタ
Ｑ４　　ＮＰＮトランジスタ
Ｒ１　　抵抗
Ｃ１、Ｃ２　　動作安定化コンデンサ
Ｄ１　　ツェナーダイオード
Ｄ２　　逆流防止用ダイオード
ＶＩＮ　　入力電圧
ＶＯＵＴ　出力電圧
ＶＯＮ／ＯＦＦ　　第１の外部制御電圧
Ｖ′ＯＮ／ＯＦＦ　　第２の外部制御電圧
１０　　　帰還型定電圧回路
２０　　　照明電圧切換回路
【図１】
2004014183.tif 000003
【図２】
2004014183.tif 000004